【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
コンテンツデータを記憶している記憶部と、
前記記憶部により記憶されている前記コンテンツデータを識別するためのコンテンツ識別情報を取得する制御部と、
自装置を使用するユーザを識別するためのユーザ識別情報と前記制御部により取得された前記コンテンツ識別情報とを含む登録要求をサーバ装置に送信し、前記コンテンツ識別情報により識別される前記コンテンツデータを前記サーバ装置が保持している場合に、前記ユーザ識別情報と前記コンテンツ識別情報とが対応付けられてなる情報をユーザ別登録情報として前記サーバ装置に保持させる送信部と、
を備える、クライアント装置。
【請求項２】
前記送信部は、
前記コンテンツ識別情報により識別される前記コンテンツデータを前記サーバ装置が保持していない場合に、前記サーバ装置による前記ユーザ別登録情報の保持を禁止させる、
請求項１に記載のクライアント装置。
【請求項３】
前記送信部は、
前記コンテンツ識別情報により識別される前記コンテンツデータを前記サーバ装置が保持していない場合に、前記ユーザ別登録情報を前記サーバ装置に保持させるとともに、前記記憶部により記憶されている前記コンテンツデータを前記サーバ装置に送信し、前記コンテンツデータを前記サーバ装置に保持させる、
請求項１に記載のクライアント装置。
【請求項４】
前記記憶部は、
複数のコンテンツ識別情報が再生順に並べられてなるプレイリストをさらに記憶しており、
前記制御部は、
前記記憶部により記憶されている前記プレイリストを取得し、
前記送信部は、
前記プレイリストをさらに前記サーバ装置に送信し、前記プレイリストから前記ユーザ別登録情報に含まれていない前記コンテンツ識別情報を除外したリストを前記ユーザ識別情報に対応付けて前記サーバ装置に保持させる、
請求項１または３に記載のクライアント装置。
【請求項５】
前記記憶部は、
複数のコンテンツ識別情報が再生順に並べられてなるプレイリストをさらに記憶しており、
前記制御部は、
前記記憶部により記憶されている前記プレイリストを取得し、
前記送信部は、
前記プレイリストをさらに前記サーバ装置に送信し、前記プレイリストを前記ユーザ識別情報に対応付けて前記サーバ装置に保持させる、
請求項１または３に記載のクライアント装置。
【請求項６】
自装置を使用するユーザにより指定されたコンテンツ識別情報を選択情報として取得する制御部と、
前記ユーザを識別するためのユーザ識別情報と前記制御部により取得された前記選択情報とを含むコンテンツ送信要求をサーバ装置に送信し、前記ユーザ識別情報と前記選択情報とが対応付けられてなる情報をユーザ別登録情報として前記サーバ装置が保持している場合に、前記コンテンツ送信要求に対する応答として前記選択情報により識別されるコンテンツデータの送信を前記サーバ装置に実行させる送信部と、
前記サーバ装置から送信された前記コンテンツデータを受信する受信部と、
を備える、クライアント装置。
【請求項７】
前記送信部は、
前記選択情報が前記コンテンツ識別情報として前記ユーザ識別情報に対応付けられて前記サーバ装置により保持されていない場合に、前記サーバ装置による前記選択情報により識別される前記コンテンツデータの送信を禁止させる、
請求項６に記載のクライアント装置。
【請求項８】
コンテンツデータを記憶している記憶部をさらに備え、
前記制御部は、
前記記憶部により記憶されている前記コンテンツデータを識別するためのコンテンツ識別情報を取得し、
前記送信部は、
前記ユーザ識別情報と前記制御部により取得された前記コンテンツ識別情報とを含む登録要求をサーバ装置に送信し、前記コンテンツ識別情報により識別される前記コンテンツデータを前記サーバ装置が保持している場合に、前記ユーザ識別情報と前記コンテンツ識別情報とが対応付けられてなる情報を前記ユーザ別登録情報として前記サーバ装置に保持させる、
請求項６または７に記載のクライアント装置。
【請求項９】
前記送信部は、
前記ユーザ識別情報と前記制御部により取得された前記コンテンツ識別情報とを含む登録要求をサーバ装置に送信し、前記コンテンツ識別情報により識別される前記コンテンツデータを前記サーバ装置が保持している場合に、前記サーバ装置により既に保持されている前記ユーザ別登録情報を継続して保持させるとともに前記ユーザ識別情報と前記コンテンツ識別情報とが対応付けられてなる情報を前記ユーザ別登録情報に追加させる、
請求項８に記載のクライアント装置。
【請求項１０】
前記送信部は、
前記サーバ装置が保持しているコンテンツデータに関連する情報であるコンテンツ関連情報を取得するための要求である情報送信要求を前記サーバ装置に送信し、
前記クライアント装置は、
前記コンテンツ関連情報を前記情報送信要求に対する応答として前記サーバ装置から受信する受信部をさらに備え、
前記制御部は、
前記受信部により前記サーバ装置から受信された前記コンテンツ関連情報を所定の表示部に表示させる、
請求項１〜９の何れか一項に記載のクライアント装置。
【請求項１１】
前記送信部は、
自装置を使用するユーザを識別するためのユーザ識別情報を前記情報送信要求に含めて前記サーバ装置に送信し、
前記制御部は、
前記受信部により前記サーバ装置から受信された前記コンテンツ関連情報に、前記情報送信要求に含まれているユーザ識別情報に対応付けられて前記ユーザ別登録情報に前記コンテンツ識別情報が登録されていない旨を示す情報が含まれている場合には、前記コンテンツ関連情報を前記所定の表示部に表示させるとともに、前記コンテンツ識別情報により識別される前記コンテンツデータを前記ユーザに購入させるための所定のオブジェクトを前記コンテンツ関連情報に対応させて前記所定の表示部に表示させる、
請求項１０に記載のクライアント装置。
【請求項１２】
前記送信部は、
自装置を使用するユーザを識別するためのユーザ識別情報を含む登録情報取得要求を前記サーバ装置に送信し、
前記クライアント装置は、
前記ユーザ別登録情報において前記ユーザ識別情報に対応付けられて前記サーバ装置により保持されている前記コンテンツ識別情報により識別されるコンテンツデータに関連する情報であるコンテンツ関連情報を前記登録情報取得要求に対する応答として前記サーバ装置から受信する受信部をさらに備え、
前記制御部は、
前記受信部により前記サーバ装置から受信された前記コンテンツ関連情報を所定の表示部に表示させる、
請求項１〜９の何れか一項に記載のクライアント装置。
【請求項１３】
前記受信部は、
前記ユーザ別登録情報において前記ユーザ識別情報に対応付けられて前記サーバ装置により保持されていない前記コンテンツ識別情報により識別されるコンテンツデータに関連する情報であるコンテンツ関連情報を前記登録情報取得要求に対する応答として前記サーバ装置からさらに受信し、
前記制御部は、
前記コンテンツ関連情報を前記所定の表示部に表示させるとともに、前記コンテンツ識別情報により識別される前記コンテンツデータを前記ユーザに購入させるための所定のオブジェクトを前記コンテンツ関連情報に対応させて前記所定の表示部に表示させる、
請求項１２に記載のクライアント装置。
【請求項１４】
コンテンツデータを記憶するステップと、
前記コンテンツデータを識別するためのコンテンツ識別情報を取得するステップと、
自装置を使用するユーザを識別するためのユーザ識別情報と前記コンテンツ識別情報とを含む登録要求をサーバ装置に送信するステップと、
前記コンテンツ識別情報により識別される前記コンテンツデータを前記サーバ装置が保持している場合に、前記ユーザ識別情報と前記コンテンツ識別情報とが対応付けられてなる情報をユーザ別登録情報として前記サーバ装置に保持させるステップと、
を含む、情報処理方法。
【請求項１５】
自装置を使用するユーザにより指定されたコンテンツ識別情報を選択情報として取得するステップと、
前記ユーザを識別するためのユーザ識別情報と前記選択情報とを含むコンテンツ送信要求をサーバ装置に送信するステップと、
前記ユーザ識別情報と前記選択情報とが対応付けられてなる情報をユーザ別登録情報として前記サーバ装置が保持している場合に、前記コンテンツ送信要求に対する応答として前記選択情報により識別されるコンテンツデータの送信を前記サーバ装置に実行させるステップと、
前記サーバ装置から送信された前記コンテンツデータを受信するステップと、
を含む、情報処理方法。
【請求項１６】
コンテンツデータを記憶している記憶部と、
前記記憶部により記憶されている前記コンテンツデータを識別するためのコンテンツ識別情報を取得する制御部と、
自装置を使用するユーザを識別するためのユーザ識別情報と前記制御部により取得された前記コンテンツ識別情報とを含む登録要求をサーバ装置に送信し、前記コンテンツ識別情報により識別される前記コンテンツデータを前記サーバ装置が保持している場合に、前記ユーザ識別情報と前記コンテンツ識別情報とが対応付けられてなる情報をユーザ別登録情報として前記サーバ装置に保持させる送信部と、
を備える、第１クライアント装置と、
前記ユーザにより指定されたコンテンツ識別情報を選択情報として取得する制御部と、
前記ユーザを識別するためのユーザ識別情報と前記制御部により取得された前記選択情報とを含むコンテンツ送信要求を前記サーバ装置に送信し、前記ユーザ識別情報と前記選択情報とが対応付けられてなる情報を前記ユーザ別登録情報として前記サーバ装置が保持している場合に、前記コンテンツ送信要求に対する応答として前記選択情報により識別されるコンテンツデータの送信を前記サーバ装置に実行させる送信部と、
前記サーバ装置から送信された前記コンテンツデータを受信する受信部と、
を備える、第２クライアント装置と、
を有する、情報処理システム。
【請求項１７】
第１クライアント装置と第２クライアント装置とサーバ装置とを有する情報処理システムであって、
前記第１クライアント装置は、
コンテンツデータを記憶している記憶部と、
前記記憶部により記憶されている前記コンテンツデータを識別するためのコンテンツ識別情報を取得する制御部と、
自装置を使用するユーザを識別するためのユーザ識別情報と前記制御部により取得された前記コンテンツ識別情報とを含む登録要求をサーバ装置に送信する送信部と、を備え、
前記サーバ装置は、
記憶部と、
前記第１クライアント装置から前記登録要求を受信する受信部と、
前記登録要求に含まれる前記コンテンツ識別情報により識別される前記コンテンツデータが前記記憶部により記憶されている場合に、前記登録要求に含まれる前記ユーザ識別情報および前記コンテンツ識別情報が対応付けられてなる情報をユーザ別登録情報として前記記憶部に記憶させる制御部と、を備え、
前記第２クライアント装置は、
前記ユーザにより指定されたコンテンツ識別情報を選択情報として取得する制御部と、
前記ユーザを識別するためのユーザ識別情報と前記制御部により取得された前記選択情報とを含むコンテンツ送信要求を前記サーバ装置に送信する送信部と、を備え、
前記サーバ装置の前記受信部は、
前記第２クライアント装置から前記コンテンツ送信要求を受信し、
前記サーバ装置は、
前記コンテンツ送信要求に含まれる前記ユーザ識別情報および前記選択情報が対応付けられてなる情報が前記ユーザ別登録情報として前記記憶部により記憶されている場合に、前記コンテンツ送信要求に対する応答として前記選択情報により識別されるコンテンツデータを前記第２クライアント装置に送信する送信部、をさらに備え、
前記第２クライアント装置は、
前記サーバ装置から送信された前記コンテンツデータを受信する受信部、をさらに備える、情報処理システム。
【請求項１８】
第１クライアント装置から登録要求を受信する受信部と、
前記登録要求に含まれるコンテンツ識別情報により識別されるコンテンツデータが記憶部により記憶されている場合に、前記登録要求に含まれるユーザ識別情報および前記コンテンツ識別情報が対応付けられてなる情報をユーザ別登録情報として前記記憶部に記憶させる制御部と、を備え、
前記受信部は、第２クライアント装置からコンテンツ送信要求を受信し、
前記コンテンツ送信要求に含まれる前記ユーザ識別情報および選択情報が対応付けられてなる情報が前記ユーザ別登録情報として前記記憶部により記憶されている場合に、前記コンテンツ送信要求に対する応答として前記選択情報により識別されるコンテンツデータを前記第２クライアント装置に送信する送信部、をさらに備える、
サーバ装置。